(57)【要約】【課題】  入力操作中または選択操作中はインデックス動作を任意に停止できるようにする。【解決手段】  入力デバイス検出手段は、作業者がキー入力などの入力作業を行っているか否か示す検出信号をＨＩＧＨ／ＬＯＷによって検出する。入力デバイス検出手段の検出信号がＬＯＷの場合は、ページ切り替えスケジューラは作業ページ検出手段の検出情報に基づいて定期的に他のページを画面更新する。一方、作業者が入力作業を行っていて入力デバイス検出手段がＨＩＧＨの検出信号を送出している期間は、ページ切り替えスケジューラは本来画面更新される予定である他のページの更新を抑制し、作業者が入力作業中の画面を優先して画面更新を行う。このような画面更新の情報は画像信号出力手段より図示しない画像表示装置へ出力される。よって、ページ更新時に作業者に入力処理の途切れを感じさせない。【選択図】      図１
2005181733.tif 000002
【特許請求の範囲】
【請求項１】
画像表示装置を複数台接続してそれぞれの画像表示装置に対して表示制御を行う画像信号発生装置であって、
前記画像表示装置へ出力するための画像信号を生成する画像信号発生手段と、
前記画像表示装置における前記画像信号の選択的な表示を可能とするために、少なくとも該画像表示装置を選択するための選択情報を含む送出インデックス信号を生成して前記画像信号の一部に置き換えて付加するインデックス付加手段と、
入力デバイスに対して入力作業を行っているか否かを検出する入力デバイス検出手段とを備え、
前記入力デバイス検出手段の検出情報と前記インデックス付加手段によって付加された送出インデックス信号を含む画像信号とに基づいて、前記画像表示装置に対して表示制御を行うことを特徴とする画像信号発生装置。
【請求項２】
さらに、入力作業を行っているページ番号を検出してそのページ番号情報を出力する作業ページ検出手段を備え、
前記入力デバイス検出手段が前記入力デバイスへの入力作業を検出したとき、前記作業ページ検出手段の検出情報に基づいて前記画像表示装置のページ切り替え動作を一旦停止させることを特徴とする請求項１に記載の画像信号発生装置。
【請求項３】
前記入力デバイス検出手段が前記入力デバイスへの入力作業を検出したとき、前記作業ページ検出手段の検出情報に基づいて入力作業ページを前記画像表示装置へ画像出力することを特徴する請求項２に記載の画像信号発生装置。
【請求項４】
前記入力デバイス検出手段が前記入力デバイスへの入力作業を検出した後の一定時間経過後に、前記作業ページ検出手段の検出情報に基づいてページ切り替え動作を再開することを特徴とする請求項２または請求項３に記載の画像信号発生装置。
【請求項５】
前記入力デバイス検出手段が前記入力デバイスへの入力作業の終了または一時停止を検出したとき、入力作業動作中のページ切り替え分の処理を行わずに検出した時点よりページ切り替え動作を行うことを特徴とする請求項２乃至請求項４の何れかに記載の画像信号発生装置。
【請求項６】
さらに、入力作業を行っているオブジェクトを検出するオブジェクト検出手段を備え、
前記入力デバイス検出手段が前記入力デバイスへの入力作業を検出したとき、前記オブジェクト検出手段の検出情報に基づいて前記画像表示装置のオブジェクト切り替え動作を一旦停止させることを特徴とする請求項１に記載の画像信号発生装置。
【請求項７】
前記入力デバイス検出手段が前記入力デバイスへの入力作業を検出したとき、前記オブジェクト検出手段の検出情報に基づいて前記オブジェクトを前記画像表示装置へ画像出力することを特徴とする請求項６に記載の画像信号発生装置。
【請求項８】
前記入力デバイス検出手段が前記入力デバイスへの入力作業を検出した後の一定時間経過後にオブジェクト切り替え動作を再開することを特徴とする請求項６または請求項７に記載の画像信号発生装置。
【請求項９】
前記入力デバイス検出手段が前記入力デバイスへの入力作業の終了または一時停止を検出したとき、入力作業動作中のオブジェクト切り替え分の処理を行わずに検出した時点よりオブジェクト切り替え動作を行うことを特徴とする請求項６乃至請求項８の何れかに記載の画像信号発生装置。
【請求項１０】
さらに、ページ番号を記憶した個数だけ読み出すことが可能なページ番号メモリ手段を備え、
前記入力デバイス検出手段が前記入力デバイスへの入力作業の終了または一時停止を検出したとき、前記ページ番号メモリ手段に記憶された情報に基づいて入力作業動作中のページ切り替え分の処理を一度に行い、その後から通常のページ切り替え動作を行うことを特徴とする請求項２乃至請求項４の何れかに記載の画像信号発生装置。
【請求項１１】
さらに、オブジェクト番号を記憶するオブジェクト番号メモリ手段を備え、
前記入力デバイス検出手段が前記入力デバイスへの入力作業の終了または一時停止を検出したとき、前記オブジェクト番号メモリ手段に記憶されている情報に基づいて入力作業動作中のオブジェクト切り替え分の処理を一度に行い、その後から通常のオブジェクト切り替え動作を行うことを特徴とする請求項６乃至請求項８の何れかに記載の画像信号発生装置。
【請求項１２】
さらに、ページ切り替えスケジューラの動作を一時的に停止するページ切り替えスケジューラ一時停止手段を備え、
前記入力デバイス検出手段が前記入力デバイスへの入力作業の終了または一時停止を検出したとき、前記ページ切り替えスケジューラ一時停止手段によって入力作業動作前に中断していたページ切り替え処理を再開することを特徴とする請求項２乃至請求項４の何れかに記載の画像信号発生装置。
【請求項１３】
さらに、オブジェクト切り替えスケジューラの動作を一時的に停止するオブジェクト切り替えスケジューラ一時停止手段を備え、
前記入力デバイス検出手段が前記入力デバイスへの入力作業の終了または一時停止を検出したとき、前記オブジェクト切り替えスケジューラ一時停止手段によって入力作業動作前に中断していたオブジェクト切り替え処理を再開することを特徴とする請求項６乃至請求項８の何れかに記載の画像信号発生装置。
【請求項１４】
画像表示装置を複数台接続してそれぞれの画像表示装置に対して表示制御を行う画像信号発生装置であって、
前記画像表示装置へ出力するための画像信号を生成する画像信号発生手段と、
前記画像表示装置における前記画像信号の選択的な表示を可能とするために、少なくとも該画像表示装置を選択するための選択情報を含む送出インデックス信号を生成して前記画像信号の一部に置き換えて付加するインデックス付加手段と、
メニュー選択などの操作状況を検出する選択操作検出手段とを備え、
前記選択操作検出手段の検出情報と前記インデックス付加手段によって付加された送出インデックス信号を含む画像信号とに基づいて、前記画像表示装置に対して表示制御を行うことを特徴とする画像信号発生装置。
【請求項１５】
さらに、選択作業を行っているページ番号を検出してそのページ番号情報を出力する選択作業ページ検出手段を備え、
前記選択操作検出手段がメニュー選択などの選択操作を検出したとき、前記選択作業ページ検出手段の検出情報に基づいて前記画像表示装置のページ切り替え動作を一旦停止させることを特徴とする請求項１４に記載の画像信号発生装置。
【請求項１６】
前記選択操作検出手段がメニュー選択などの選択操作を検出したとき、前記選択作業ページ検出手段の検出情報に基づいて選択作業ページを前記画像表示装置へ画像出力することを特徴する請求項１５に記載の画像信号発生装置。
【請求項１７】
前記選択操作検出手段がメニュー選択などの選択操作を検出した後の一定時間経過後に、前記選択作業ページ検出手段の検出情報に基づいてページ切り替え動作を再開することを特徴とする請求項１５または請求項１６に記載の画像信号発生装置。
【請求項１８】
前記選択操作検出手段がメニュー選択などの選択操作の終了または一時停止を検出したとき、選択操作動作中のページ切り替え分の処理を行わずに検出した時点よりページ切り替え動作を行うことを特徴とする請求項１５乃至請求項１７の何れかに記載の画像信号発生装置。
【請求項１９】
さらに、選択作業オブジェクトを検出する選択作業オブジェクト検出手段を備え、
前記選択操作検出手段がメニュー選択などの選択操作を検出したとき、前記選択作業オブジェクト検出手段の検出情報に基づいて前記画像表示装置のオブジェクト切り替え動作を一旦停止させることを特徴とする請求項１４に記載の画像信号発生装置。
【請求項２０】
前記選択操作検出手段がメニュー選択などの選択操作を検出したとき、前記選択作業オブジェクト検出手段の検出情報に基づいて選択作業オブジェクトを前記画像表示装置へ画像出力することを特徴とする請求項１９に記載の画像信号発生装置。
【請求項２１】
前記選択操作検出手段がメニュー選択などの選択操作を検出した後の一定時間経過後にオブジェクト切り替え動作を再開することを特徴とする請求項１９または請求項２０に記載の画像信号発生装置。
【請求項２２】
前記選択操作検出手段がメニュー選択などの選択操作の終了または一時停止を検出したとき、選択操作動作中のオブジェクト切り替え分の処理を行わずに、検出した時点よりオブジェクト切り替え動作を行うことを特徴とする請求項１９乃至請求項２１の何れかに記載の画像信号発生装置。
【請求項２３】
さらに、ページ番号を記憶した個数だけ読み出すことが可能なページ番号メモリ手段を備え、
前記選択操作検出手段がメニュー選択などの選択操作の終了または一時停止を検出したとき、前記ページ番号メモリ手段に記憶された情報に基づいて選択操作動作中のページ切り替え分の処理を一度に行い、その後から通常のページ切り替え動作を行うことを特徴とする請求項１５乃至請求項１７の何れかに記載の画像信号発生装置。
【請求項２４】
さらに、オブジェクト番号を記憶するオブジェクト番号メモリ手段を備え、
前記選択操作検出手段がメニュー選択などの選択操作の終了または一時停止を検出したとき、前記オブジェクト番号メモリ手段に記憶されている情報に基づいて選択操作動作中のオブジェクト切り替え分の処理を一度に行い、その後から通常のオブジェクト切り替え動作を行うことを特徴とする請求項１９乃至請求項２１の何れかに記載の画像信号発生装置。
【請求項２５】
さらに、ページ切り替えスケジューラの動作を一時的に停止するページ切り替えスケジューラ一時停止手段を備え、
前記選択操作検出手段がメニュー選択などの選択操作の終了または一時停止を検出したとき、前記ページ切り替えスケジューラ一時停止手段によって選択操作動作前に中断していたページ切り替え処理を再開することを特徴とする請求項１５乃至請求項１７の何れかに記載の画像信号発生装置。
【請求項２６】
さらに、オブジェクト切り替えスケジューラの動作を一時的に停止するオブジェクト切り替えスケジューラ一時停止手段を備え、
前記選択操作検出手段がメニュー選択などの選択操作の終了または一時停止を検出したとき、前記オブジェクト切り替えスケジューラ一時停止手段によって選択操作動作前に中断していたオブジェクト切り替え処理を再開することを特徴とする請求項１９乃至請求項２１の何れかに記載の画像信号発生装置。
【発明の詳細な説明】
【技術分野】
【０００１】
本発明は、画像表示装置にインデックス制御を行って所望の画像を表示させる画像信号発生装置に関し、より詳しくは、液晶、ＣＲＴ、プラズマディスプレイ（ＰＤＰ）、あるいはエレクトロルミネッセンス（ＥＬ）などの表示デバイスを含んで構成される画像表示装置に対して画像信号を送信するための、パーソナルコンピュータ（ＰＣ）などで使われる所定のフォーマットを有した画像信号発生装置に関する。
【背景技術】
【０００２】
図９は、特許文献１に開示された従来技術における画像信号発生装置と画像表示装置のシステム構成図である。つまり、この図は、インデックスを用いた画像表示装置のシステム構成を示し、下記の特許文献１などに開示されているものである。図９に示すように、画像信号発生装置９０１には複数の画像表示装置９０２が接続されている。通常、画像信号発生装置９０１に複数の画像表示装置９０２が接続されると接続ケーブルなどが増えるが、この技術では、複数のページを有する画像信号の所定の位置に、画像表示装置９０２を判別するためのインデックス画像信号の一部が置き換えられて付加されているので、画像表示装置９０２は、付加されたインデックスを判別して画像表示すべきフレームを選択することができる。したがって、画像信号発生装置９０１と画像表示装置９０２との間の接続ケーブルを増やす必要がない。
【０００３】
また、図１０は、図９に示された画像信号発生装置９０１の内部構成を示す図である。図１０に示すように、画像信号発生装置９０１は、ページ切り替えスケジューラ１００１と画像信号発生手段１００２とインデックス付加手段１００３と画像信号出力手段１００４とが直列に接続された構成となっている。さらに、図１１は、図１０の画像信号発生装置における画像信号とインデックスの関係を示す第１の実施例のタイミング図である。図１２は、図１０の画像信号発生装置における画像信号とインデックスの関係を示す第２の実施例のタイミング図である。また、図１３は、図１０の画像信号発生装置における画像信号とインデックスの関係を示す第３の実施例のタイミング図である。
【０００４】
次に、図９〜図１３を用いて、特許文献１に開示された画像表示装置のシステム構成の動作について説明する。図９に示すように、特許文献１の提案では、画像信号発生装置９０１に対して複数の画像表示装置９０２を最小限の接続ケーブルによって接続しても、インデックス画像信号を用いることによって個々の画像表示装置９０２を判別することができるので、それぞれの画像表示装置９０２に異なった画像を表示することができる。
【０００５】
具体的には、画像信号発生装置９０１は自己の装置内に複数のページを持っていて、ページ切り替えスケジューラ１００１がどのページを出力するかを決定する。そして、画像信号発生手段１００２がそれぞれの画面を構成する正味の画像信号を作成する。さらに、インデックス付加手段１００３が正味の画像信号及び複数のページに１対１で対応するページ番号情報を付加した送出インデックス信号を付加し、これを複合化信号として画像信号出力手段１００４から画像表示装置９０２へ出力する。つまり、図１１に示すように、ページごとに割り振られた送出インデックス信号を含む複合化信号は、画像表示装置９０２でその送出インデックス信号からページフラグを読み取り、自己の画像表示装置が表示すべき画像信号であるか否かを判断して所望の画像の表示を行う。この複合化信号は、図１２に示すように、ページ毎に時間的に分けて送信され、また各画像表示装置９０２がそれぞれ異なった表示装置番号を持つことで、画像表示装置９０２毎に異なった画像の表示を行うことを可能にしている。
【０００６】
また、特許文献１の技術では、図１３のような画像信号とインデックスの関係の構成も提案されている。つまり、複数の画像表示装置９０２が接続されている場合において、図１３に示すように、ページ１の割合が高く、その他のページが間欠的に出力される場合でも、目的の画像表示装置９０２に所望の表示を行うことができる。具体的には、複数の画像表示装置９０２がつながれている場合においてキーボード等を用いて作業者が入力作業を行う場合には、作業者の入力作業を行いっている特定の１ページに集中することが多いことに注目し、キーボード等を用いて入力している特定の１ページ（つまり、ページ１）を出力する割合を高め、その他のページ（つまり、ページ２やページ３）は出力しないか、または低い割合で出力するように構成している。
【特許文献１】特開２０００−３５２９６２号公報（段落番号００２８〜００８７及び図１、図２、図５、図６、図９参照）
【発明の開示】
【発明が解決しようとする課題】
【０００７】
つまり、図９に示す画像表示装置のシステム構成のように複数のページを構成して複数の画像表示装置９０２がつながれている場合においては、作業者がキーボード等を用いて入力作業を行うときには、図１３に示すように、入力作業を行っている特定の１ページ（この場合はページ１）を出力する割合を高め、その他のページ（つまり、ページ２やページ３）は出力しないか、又は低い割合で出力するようにしている。これによって、作業者が複数のページを表示しながら違和感なく入力作業を行うことができるようにしている。しかしながら、上記のように他のページを出力しない場合では、定期的に画面上の情報が更新される他のページが存在しても、作業者が他のページを参照しながら入力作業を行う場合は、他のページは更新前の情報しか表示しないこととなり、最新の情報が参照できないという問題が生じる。また、一定の割合で他のページを更新する場合では、作業者の入力作業中に他のページヘの画面切り替えが発生して入力作業と衝突が発生する場合がある。このような衝突が発生すると、キー操作が無効となったり、意図しない他のページヘの入力作業が行われてしまったり、あるいは、意図した通りに操作が行われるが入力作業画面への操作の反映が遅れるという問題も発生する。また、このような問題は、各アプリケーション等による表示更新の要求により他のページの画面更新を行うシステムの場合でも同様に発生する。
【０００８】
本発明は、以上のような問題点に鑑みてなされたものであり、常に、キー操作やマウスポインタ操作等の入力操作や、メニューやコンボボックスなどの選択操作を監視することにより、入力操作中または選択操作中はインデックス動作を任意に停止することができるようにして、作業者にとって違和感なく操作ができる画像信号発生装置を提供することを目的とする。
【課題を解決するための手段】
【０００９】
本発明は、上記の目的を達成するために創案されたものであり、第１の発明に係わる画像信号発生装置においては、画像表示装置を複数台接続してそれぞれの画像表示装置に対して表示制御を行う画像信号発生装置であって、画像表示装置へ出力するための画像信号を生成する画像信号発生手段（図１の画像信号発生手段１０４に相当）と、画像表示装置における画像信号の選択的な表示を可能とするために、少なくとも所望の画像表示装置を選択するための選択情報を含む送出インデックス信号を生成して画像信号の一部に置き換えて付加するインデックス付加手段（図１のインデックス描画手段１０３に相当）と、入力デバイスに対して入力作業を行っているか否かを検出する入力デバイス検出手段（図１の入力デバイス検出手段１０７に相当）とを備え、入力デバイス検出手段の検出情報とインデックス付加手段によって付加された送出インデックス信号を含む画像信号とに基づいて、画像表示装置に対して表示制御を行うことを特徴とする。
【００１０】
また、第２の発明に係わる画像信号発生装置は、第１の発明に加えて、さらに、入力作業を行っているページ番号を検出してそのページ番号情報を出力する作業ページ検出手段（図１の作業ページ検出手段１０６に相当）を備え、入力デバイス検出手段が入力デバイスへの入力作業を検出したとき、作業ページ検出手段の検出情報に基づいて画像表示装置のページ切り替え動作を一旦停止させることを特徴とする。
【００１１】
また、第３の発明に係わる画像信号発生装置は、第２の発明において、入力デバイス検出手段が入力デバイスへの入力作業を検出したとき、作業ページ検出手段の検出情報に基づいて入力作業ページを画像表示装置へ画像出力することを特徴する。
【００１２】
また、第４の発明に係わる画像信号発生装置は、第２または第３の発明において、入力デバイス検出手段が入力デバイスへの入力作業を検出した後の一定時間経過後に、作業ページ検出手段の検出情報に基づいてページ切り替え動作を再開することを特徴とする。
【００１３】
また、第５の発明に係わる画像信号発生装置は、第２乃至第４の何れかの発明において、入力デバイス検出手段が入力デバイスへの入力作業の終了または一時停止を検出したとき、入力作業動作中のページ切り替え分の処理を行わずに検出した時点よりページ切り替え動作を行うことを特徴とする。
【００１４】
また、第６の発明に係わる画像信号発生装置は、第１の発明に加えて、さらに、入力作業を行っているオブジェクトを検出するオブジェクト検出手段（図１の作業ページ検出手段１０６とオブジェクト描画手段１０２を併せたものに相当）を備え、入力デバイス検出手段が入力デバイスへの入力作業を検出したとき、オブジェクト検出手段の検出情報に基づいて画像表示装置のオブジェクト切り替え動作を一旦停止させることを特徴とする。
【００１５】
また、第７の発明に係わる画像信号発生装置は、第６の発明において、入力デバイス検出手段が入力デバイスへの入力作業を検出したとき、オブジェクト検出手段の検出情報に基づいてオブジェクトを画像表示装置へ画像出力することを特徴とする。
【００１６】
また、第８の発明に係わる画像信号発生装置は、第６または第７の発明において、入力デバイス検出手段が入力デバイスへの入力作業を検出した後の一定時間経過後にオブジェクト切り替え動作を再開することを特徴とする。
【００１７】
また、第９の発明に係わる画像信号発生装置は、第６乃至第８の何れかの発明において、入力デバイス検出手段が入力デバイスへの入力作業の終了または一時停止を検出したとき、入力作業動作中のオブジェクト切り替え分の処理を行わずに検出した時点よりオブジェクト切り替え動作を行うことを特徴とする。
【００１８】
また、第１０の発明に係わる画像信号発生装置は、第２乃至第４の何れかの発明に加えて、さらに、ページ番号を記憶した個数だけ読み出すことが可能なページ番号メモリ手段（図３のページ番号記憶メモリ３０１に相当）を備え、入力デバイス検出手段が入力デバイスへの入力作業の終了または一時停止を検出したとき、ページ番号メモリ手段に記憶された情報に基づいて入力作業動作中のページ切り替え分の処理を一度に行い、その後から通常のページ切り替え動作を行うことを特徴とする。
【００１９】
また、第１１の発明に係わる画像信号発生装置は、第６乃至第８の何れかの発明に加えて、さらに、オブジェクト番号を記憶するオブジェクト番号メモリ手段（図３のページ番号記憶メモリ３０１とオブジェクト描画手段１０２を併せたものに相当）を備え、入力デバイス検出手段が入力デバイスへの入力作業の終了または一時停止を検出したとき、オブジェクト番号メモリ手段に記憶されている情報に基づいて入力作業動作中のオブジェクト切り替え分の処理を一度に行い、その後から通常のオブジェクト切り替え動作を行うことを特徴とする。
【００２０】
また、第１２の発明に係わる画像信号発生装置は、第２乃至第４の何れかの発明に加えて、さらに、ページ切り替えスケジューラの動作を一時的に停止するページ切り替えスケジューラ一時停止手段（図５のページ切り替えスケジューラ一時停止手段５０１に相当）を備え、入力デバイス検出手段が入力デバイスへの入力作業の終了または一時停止を検出したとき、ページ切り替えスケジューラ一時停止手段によって入力作業動作前に中断していたページ切り替え処理を再開することを特徴とする。
【００２１】
また、第１３の発明に係わる画像信号発生装置は、第６乃至第８の何れかの発明に加えて、さらに、オブジェクト切り替えスケジューラの動作を一時的に停止するオブジェクト切り替えスケジューラ一時停止手段（図５のページ切り替えスケジューラ一時停止手段５０１とオブジェクト描画手段１０２を併せたものに相当）を備え、入力デバイス検出手段が入力デバイスへの入力作業の終了または一時停止を検出したとき、オブジェクト切り替えスケジューラ一時停止手段によって入力作業動作前に中断していたオブジェクト切り替え処理を再開することを特徴とする。
【００２２】
また、第１４の発明に係わる画像信号発生装置においては、画像表示装置を複数台接続してそれぞれの画像表示装置に対して表示制御を行う画像信号発生装置であって、画像表示装置へ出力するための画像信号を生成する画像信号発生手段（図７の画像信号発生手段１０４に相当）と、画像表示装置における画像信号の選択的な表示を可能とするために、少なくとも所望の画像表示装置を選択するための選択情報を含む送出インデックス信号を生成して画像信号の一部に置き換えて付加するインデックス付加手段（図７のインデックス描画手段１０３に相当）と、メニュー選択などの操作状況を検出する選択操作検出手段（図７の選択操作検出手段７０１に相当）とを備え、選択操作検出手段の検出情報とインデックス付加手段によって付加された送出インデックス信号を含む画像信号とに基づいて、画像表示装置に対して表示制御を行うことを特徴とする。
【００２３】
また、第１５の発明に係わる画像信号発生装置は、第１４の発明に加えて、さらに、選択作業を行っているページ番号を検出してそのページ番号情報を出力する選択作業ページ検出手段（図７の作業ページ検出手段１０６に相当）を備え、選択操作検出手段がメニュー選択などの選択操作を検出したとき、選択作業ページ検出手段の検出情報に基づいて画像表示装置のページ切り替え動作を一旦停止させることを特徴とする。
【００２４】
また、第１６の発明に係わる画像信号発生装置は、第１５の発明において、選択操作検出手段がメニュー選択などの選択操作を検出したとき、選択作業ページ検出手段の検出情報に基づいて選択作業ページを前記画像表示装置へ画像出力することを特徴する。
【００２５】
また、第１７の発明に係わる画像信号発生装置は、第１５または第１６の発明において、選択操作検出手段がメニュー選択などの選択操作を検出した後の一定時間経過後に、選択作業ページ検出手段の検出情報に基づいてページ切り替え動作を再開することを特徴とする。
【００２６】
また、第１８の発明に係わる画像信号発生装置は、第１５乃至第１７の何れかの発明において、選択操作検出手段がメニュー選択などの選択操作の終了または一時停止を検出したとき、選択操作動作中のページ切り替え分の処理を行わずに検出した時点よりページ切り替え動作を行うことを特徴とする。
【００２７】
また、第１９の発明に係わる画像信号発生装置は、第１４の発明に加えて、さらに、選択作業オブジェクトを検出する選択作業オブジェクト検出手段（図７の作業ページ検出手段１０６とオブジェクト描画手段１０２を併せたものに相当）を備え、選択操作検出手段がメニュー選択などの選択操作を検出したとき、選択作業オブジェクト検出手段の検出情報に基づいて画像表示装置のオブジェクト切り替え動作を一旦停止させることを特徴とする。
【００２８】
また、第２０の発明に係わる画像信号発生装置は、第１９の発明において、選択操作検出手段がメニュー選択などの選択操作を検出したとき、選択作業オブジェクト検出手段の検出情報に基づいて選択作業オブジェクトを画像表示装置へ画像出力することを特徴とする。
【００２９】
また、第２１の発明に係わる画像信号発生装置は、第１９または第２０の発明において、選択操作検出手段がメニュー選択などの選択操作を検出した後の一定時間経過後にオブジェクト切り替え動作を再開することを特徴とする。
【００３０】
また、第２２の発明に係わる画像信号発生装置は、第１９乃至第２１の何れかの発明において、選択操作検出手段がメニュー選択などの選択操作の終了または一時停止を検出したとき、選択操作動作中のオブジェクト切り替え分の処理を行わずに、検出した時点よりオブジェクト切り替え動作を行うことを特徴とする。
【００３１】
また、第２３の発明に係わる画像信号発生装置は、第１５乃至第１７の何れかの発明に加えて、さらに、ページ番号を記憶した個数だけ読み出すことが可能なページ番号メモリ手段（図３のページ番号記憶メモリ３０１に相当）を備え、選択操作検出手段がメニュー選択などの選択操作の終了または一時停止を検出したとき、ページ番号メモリ手段に記憶された情報に基づいて選択操作動作中のページ切り替え分の処理を一度に行い、その後から通常のページ切り替え動作を行うことを特徴とする。
【００３２】
また、第２４の発明に係わる画像信号発生装置は、第１９乃至第２１の何れかの発明に加えて、さらに、オブジェクト番号を記憶するオブジェクト番号メモリ手段（図３のページ番号記憶メモリ３０１とオブジェクト描画手段１０２を併せたものに相当）を備え、選択操作検出手段がメニュー選択などの選択操作の終了または一時停止を検出したとき、オブジェクト番号メモリ手段に記憶されている情報に基づいて選択操作動作中のオブジェクト切り替え分の処理を一度に行い、その後から通常のオブジェクト切り替え動作を行うことを特徴とする。
【００３３】
また、第２５の発明に係わる画像信号発生装置は、第１５乃至第１７の何れかの発明に加えて、さらに、ページ切り替えスケジューラの動作を一時的に停止するページ切り替えスケジューラ一時停止手段（図５のページ切り替えスケジューラ一時停止手段５０１に相当）を備え、選択操作検出手段がメニュー選択などの選択操作の終了または一時停止を検出したとき、ページ切り替えスケジューラ一時停止手段によって選択操作動作前に中断していたページ切り替え処理を再開することを特徴とする。
【００３４】
また、第２６の発明に係わる画像信号発生装置は、第１９乃至第２１の何れかの発明に加えて、さらに、オブジェクト切り替えスケジューラの動作を一時的に停止するオブジェクト切り替えスケジューラ一時停止手段（図５のページ切り替えスケジューラ一時停止手段５０１とオブジェクト描画手段１０２を併せたものに相当）を備え、選択操作検出手段がメニュー選択などの選択操作の終了または一時停止を検出したとき、オブジェクト切り替えスケジューラ一時停止手段によって選択操作動作前に中断していたオブジェクト切り替え処理を再開することを特徴とする。
【発明の効果】
【００３５】
本発明の画像信号発生装置の構成によれば、キー入力などの入力作業を示す検出信号がＬＯＷの場合は定期的に他のページが画面更新され、作業者が入力作業を行っていて入力作業を示す検出信号がＨＩＧＨの間は、本来は画面更新される予定である他のページの更新が抑制され、作業者が入力作業中の画面が優先して画面更新される。このようなページの更新を行うことによって、作業者に入力処理が途切れるのを感じさせることなく快適に入力作業を行うことができる。また、入力作業が中断または終了した時点で、本来は画面更新する予定であった一時記憶されているページの更新が直ちに行われる。これによって、作業者に入力処理が途切れるのを感じさせることなく、かつ、入力作業終了後にできるだけ早く他の画面の情報を提供することができる。
【００３６】
さらに、入力作業が中断または終了された時点で本来のスケジュール通りの動作が再開されるため、作業者に入力処理が途切れるのを感じさせることなく、かつ、スケジュールが停止していた時間が長い場合でも、その後に他の画面の情報更新する時間を長く占有することがなくなり、更新の割合が高い画面を今までどおり優先して画面更新を行うことができる。また、本発明の表画像信号発生装置の構成によれば、メニュー選択などの選択操作作業を示す検出信号がＬＯＷの場合は定期的に他のページが画面更新され、作業者がメニュー選択などを行っていて選択操作作業を示す検出信号がＨＩＧＨの間は、本来は画面更新される予定である他のページの更新が抑制され、作業者が選択操作作業中の画面が優先して画面更新される。このようにすることによって作業者に選択処理が途切れるのを感じさせることなく、快適に入力作業を行うことができる。
【発明を実施するための最良の形態】
【００３７】
≪第１の実施の形態≫
まず、本発明における画像信号発生装置の第１の実施の形態について説明する。図１は、本発明の第１の実施の形態における画像信号発生装置の構成を示すブロック図である。つまり、この図は、画像表示装置に対してインデックス制御を行う第１の実施の形態の画像信号発生装置の構成を示すブロック図である。図１において、本発明の画像信号発生装置は、ページ切り替えを管理するページ切り替えスケジューラ１０１と、ページ切り替えスケジューラ１０１によりスケジュールされたページ番号に切り替えてウィンドウなどのオブジェクトを描画するオブジェクト描画手段１０２と、ページ切り替えスケジューラ１０１によりスケジュールされたページ番号に対応する送出インデックス信号を生成するためのインデックス描画手段１０３と、オブジェクト描画手段１０２とインデックス描画手段１０３の画像を画像信号に変換する画像信号発生手段１０４と、画像信号発生手段１０４からの信号を画像信号として出力するための増幅器などによって構成される画像信号出力手段１０５と、作業者が現在作業を行っているページ番号を検出し、そのページ番号情報を出力する作業ページ検出手段１０６と、作業者がキーボード等を用いて入力作業を行いっている時にキーが押されている期間をＨＩＧＨとして検出し、かつキーが押されていない期間をＬＯＷとして検出し、それぞれの検出期間を示す信号を出力する入力デバイス検出手段１０７と、入力デバイス検出手段１０７により検出された検出期間信号にさらに一定の検出期間を示す信号を付加する入力デバイス検出信号一定期間付加手段１０８とを含んだ構成となっている。
【００３８】
また、図２は、図１に示す第１の実施の形態の画像信号発生装置における各信号のタイミングの関係を説明するための説明図である。つまり、この図は、第１の実施の形態における画像信号発生装置の画像信号とインデックスの関係を示すタイミング図である。なお、図２において、横軸は時間の経過を示し、縦軸は、（ａ）が垂直同期信号、（ｂ）が付加予定送出インデックス信号、（ｃ）がキー入力検出信号、（ｄ）がキー入力検出一定期間付加信号、（ｅ）が付加後送出インデックス信号、（ｆ）が復号化信号、のそれぞれの電圧を示している。
【００３９】
次に、図１及び図２を参照しながら第１の実施の形態における画像信号発生装置の動作について説明する。ページ切り替えスケジューラ１０１はどのページを出力するかを常に管理していて、その管理情報をオブジェクト描面手段１０２へ送信しているので、オブジェクト描面手段１０２は、管理された情報に基づいてそのページに配置されるオプジェクトの描画を行う。また、インデックス描画手段１０３は、ページ切り替えスケジューラ１０１からそのページに対応するインデックス値を取得してインデックスを描画している。さらに、画像信号発生手段１０４は、オブジェクト描面手段１０２とインデックス描画手段１０３の画像を合成し、所定のフォーマット（例えば、解像度あるいはライン当りの画素数、１フレーム当りのライン数、１秒当りのフレーム数など）の画像信号を発生して画像信号出力手段１０５へ出力している。そして、画像信号出力手段１０５は、画像信号発生手段１０４からの画像信号を複合化信号として画像表示装置へ出力している。
【００４０】
さらに、作業ページ検出手段１０６は、作業者が特定の画面で入力作業を行っているページ番号を常に検出し、常にそのページ番号情報をページ切り替えスケジューラ１０１に出力している。また、入力デバイス検出手段１０７は、作業者がキーボードなどの入力デバイスを用いて入力作業している状態をＨＩＧＨまたはＬＯＷによって検出し、それぞれの検出情報を入力デバイス検出信号一定期間付加手段１０８へ出力している。したがって、入力デバイス検出信号一定期間付加手段１０８は、入力デバイス検出手段１０７から出力されたＨＩＧＨとなる検出期間を示す信号に、検出終了と同時に新たに一定期間の検出期間ＨＩＧＨを付加した信号をページ切り替えスケジューラ１０１に出力している。このとき、一定期間の検出期間を付加している最中に、入力デバイス検出手段１０７から新たな検出信号が入力された場合はそのまま検出期間を継続し、さらに検出終了と同時に新たに一定期間の検出期間を付加してページ切り替えスケジューラ１０１へ出力する。
【００４１】
また、入力デバイス検出信号一定期間付加手段１０８からの検出信号がＬＯＷの期間中は、ページ切り替えスケジューラ１０１が本来出力しようとしていたページ番号と作業ページ検出手段１０６より得たページ番号を順にスケジュールするが、入力デバイス検出信号一定期間付加手段１０８からの検出信号がＨＩＧＨの場合においては、ページ切り替えスケジューラ１０１はページ番号をスケジュールしない。オブジェクト描画手段１０２及びインデックス描画手段１０３はスケジュールされたページに基づいて所望の画像を作成する。これによってオブジェクト描画手段１０２からは作業ページ検出手段１０６のページ番号情報にあたるページを描画し、インデックス描画手段１０３においても作業ページ検出手段１０６のページ番号情報にあたるインデックスを描画する。
【００４２】
画像信号発生手段１０４は、オブジェクト描画手段１０２及びインデックス描画手段１０３が描画した画像を合成して画像信号に変換し、所望の画像信号を発生して画像信号出力手段１０５へ出力する。すると、画像信号出力手段１０５は、画像信号発生手段１０４から受け取った画像信号を増幅器等で増幅して複合化信号として出力する。その後、この複合化信号は、図９に示す従来技術と同様に、接続ケーブルを通して各画像表示装置９０２へ出力される。したがって、各画像表示装置９０２は、インデックス信号を含む複合化信号に基づいてそれぞれ異なった表示を行うが、そのことについては特許文献１の従来技術と同様であるのでその説明は省略する。
【００４３】
次に、図２における各信号のタイミング波形を用いて、図１に示す第１の実施の形態の画像信号発生装置の動作をより具体的に説明をする。図２に示すタイミング波形は、特許文献１の従来の実施例と同じくページ１の割合が高く、その他のページ２、ページ３が間欠的に出力される場合の例を示している。このように、本来、ページ２が更新されるはずのフレームのタイミング（つまり、時刻Ｔ１で発生するフレームのタイミング）においても、作業者によるキーボードなどの入力作業が行われている場合にはキー入力検出信号（ｃ）が検出されて、入力作業を行っているページ（つまり、ページ１）が優先され、結果としてページ１の画面更新が行われる。また、ページ３が更新されるはずのフレームのタイミング（つまり、時刻Ｔ２で発生するフレームのタイミング）においては、入力作業が行われていないために（つまり、キー入力検出信号（ｃ）がないために）そのままページ３が更新されてページ１となる。
【００４４】
第１の実施の形態における表画像信号発生装置の構成によれば、キー入力などの入力作業を示す検出信号がＬＯＷの場合は、定期的に他のページが画面更新され、作業者が入力作業を行っていて入力作業を示す検出信号がＨＩＧＨの間は、本来は画面更新される予定である他のページの更新が抑制され、作業者が入力作業中の画面が優先して画面更新される。このようなページの更新を行うことによって作業者に入力処理が途切れるのを感じさせることなく、快適に入力作業を行うことができる。つまり、作業者がキー操作を行ったときには直ちに操作画面が更新されるので、作業者は違和感なく操作を行うことができる。また、キー操作の終了後には中断されていた期間の更新処理を廃棄し、その後から画面更新を開始するので簡便に更新処理を行うことができる。
【００４５】
≪第２の実施の形態≫
次に、本発明における画像信号発生装置の第２の実施の形態について説明する。図３は、本発明の第２の実施の形態における画像信号発生装置の構成を示すブロック図である。つまり、この図は、画像表示装置に対してインデックス制御を行う画像信号発生装置の第２の実施の形態の構成を示すブロック図である。尚、図３の画像信号発生装置においては図１と同一部分は同一番号を付して重複する説明は省略する。すなわち、図３に示す第２の実施の形態の画像信号発生装置は、図１に示す第１の実施の形態の画像信号発生装置に対して、ページ番号を記憶した個数だけ読み出すことが可能なページ番号記憶メモリ３０１が追加されたものである。また、図４は、図３に示す第２の実施の形態の画像信号発生装置における各信号のタイミングの関係を説明するための説明図である。つまり、この図は、第２の実施の形態における画像信号発生装置の画像信号とインデックスの関係を示すタイミング図である。なお、図４において、横軸は時間の経過を示し、縦軸は、（ａ）が垂直同期信号、（ｂ）が付加予定送出インデックス信号、（ｃ）がキー入力検出信号、（ｄ）がキー入力検出一定期間付加信号、（ｅ）が付加後送出インデックス信号、（ｆ）が復号化信号、のそれぞれの電圧を示している。
【００４６】
以下、図３及び図４を参照しながら第２の実施の形態の画像信号発生装置の動作について説明する。ページ番号記憶メモリ３０１は最初は何の情報も持っていない（以下、このような記憶状態を『空』と云うことにする）が、ページ切り替えスケジューラ１０１からの付加予定ページ番号記憶依頼によってページ番号を記憶する。つまり、ページ番号記憶メモリ３０１は、自己が記憶しているページ番号が作業ページ検出手段１０６からページ切り替えスケジューラ１０１へ送信されるぺージ番号と一致する場合は、受け取ったページ番号を破棄し記憶動作を行わない。また、ページ番号記憶メモリ３０１は、入力作業デバイス検出信号一定期間付加手段１０８からページ切り替えスケジューラ１０１へ送信される信号がＬＯＷの時も記憶作業を行わない。
【００４７】
ページ番号記憶メモリ３０１は、ページ切り替えスケジューラ１０１から記憶しているページ番号の読出し要求依頼があれば記憶しているページ番号を出力し、記憶しているページ番号がなければ空であることを示す情報（空情報）を出力する。なお、ページ番号記憶メモリ３０１は、複数個のページ番号を記憶することが可能であり、このときのページ番号の入出力順番はＦＩＦＯ(First In First Out：先入れ先出し)の構造を持っている。また、ページ切り替えスケジューラ１０１は、入力デバイス検出信号一定期間付加手段１０８からの検出信号がＬＯＷの期間、ページ番号記憶メモリ３０１へ既に記憶されているページ番号を問い合わせ、既に記憶されているページ番号が存在する場合は、そのページ番号情報をオブジェクト描画手段１０２及びインデックス描画手段１０３へ出力する。
【００４８】
すると、オブジェクト描画手段１０２は、ページ切り替えスケジューラ１０１が出力した情報に基づいてオブジェクトを配置して描画し、インデックス描画手段１０３は、ページ番号に相当するページ番号情報を付けたインデックスを描画する。そして、画像発生手段１０４は、オブジェクト描画手段１０２およびインデックス描画手段１０３が描画した画像を合成して画像信号を発生させ、画像信号出力手段１０５へ出力する。さらに、画像信号出力手段１０５は、画像信号発生手段１０４からの画像信号を複合化信号として画像表示装置９０２（図９参照）へ出力する。
【００４９】
また、ページ番号記憶メモリ３０１が空の場合は、ページ切り替えスケジューラ１０１は、本来は出力予定であったページ番号情報をオブジェクト描画手段１０２およびインデックス描画手段１０３へそのまま出力する。さらに、デバイス検出信号一定期間付加手段１０８からの検出信号がＨＩＧＨの場合には、ページ切り替えスケジューラ１０１が出力予定であったページ番号情報をページ番号記憶メモリ３０１へ記憶させる。その他の動作については第１の実施の形態で説明したものと同じであるのでその説明は省略する。
【００５０】
次に、図４における各信号のタイミング波形を用いて、図３に示す第２の実施の形態の画像信号発生装置の動作をより具体的に説明をする。図４に示すタイミング波形は、図２の場合と同じくページ１の割合が高く、その他のページ２、ページ３が間欠的に出される場合の例を示している。このように、本来はページ２やページ３が更新されるはずのフレームにおいても、作業者によるキーボードなどの入力作業が行われている場合には、入力作業を行っているページ（つまり、ページ１）が優先されて画面更新が行われる。また、入力作業が中断または終了した時点で、本来は画面更新する予定であった一時記憶されているページ２，３の更新が直ちに行われる。つまり、時刻Ｔ１，Ｔ２，Ｔ３のフレームのタイミングにおいては入力作業が中断されているので、ページ１からページ２→ページ３→ページ１へと更新が順次行われる。言い換えれば、ページ２の更新時において入力作業が行われていない場合は本来の動作であるページ２の更新が行われることになる。
【００５１】
第２の実施の形態における表画像信号発生装置の構成によれば、キー入力などの入力作業を示す検出信号がＬＯＷの場合は定期的に他のページが画面更新され、作業者が入力作業を行っていて入力作業を示す検出信号がＨＩＧＨの間は、本来は画面更新される予定である他のページの更新が抑制され、作業者が入力作業中の画面が優先して画面更新されることで、作業者に入力処理が途切れるのを感じさせことなく、快適に入力作業を行うことができる。また、入力作業が中断または終了した時点で、未来は画面更新する予定であった一時記憶されているページの更新が直ちに行われる。これによって、作業者に入力処理が途切れるのを感じさせることなく、かつ、入力作業終了後にできるだけ早く他の画面の情報を提供することができる。つまり、作業者がキー操作を終了した後に中断されていた期間の更新処理を行うことにより、更新の抜け落ちがないようにすることができる。さらには、作業者がキー操作を終了した後に中断されていた期間の更新処理を順に素早く行うことにより、更新の抜け落ちを素早く復帰して元の処理へ戻すことができる。
【００５２】
≪第３の実施の形態≫
次に、本発明における画像信号発生装置の第３の実施の形態について説明する。図５は、本発明の第３の実施の形態における画像信号発生装置の構成を示すブロック図である。つまり、この図は、画像表示装置に対してインデックス制御を行う画像信号発生装置の第３の実施の形態の構成を示すブロック図である。尚、図５の画像信号発生装置においては図１と同一部分は同一番号を付して重複する説明は省略する。すなわち、図５に示す第３の実施の形態の画像信号発生装置は、図１に示す第１の実施の形態の画像信号発生装置に対して、ページ切り替えスケジューラ１０１の動作を一時停止させるページ切り替えスケジューラ一時停止手段５０１が追加されたものである。また、図６は、図５に示す第３の実施の形態の画像信号発生装置における各信号のタイミングの関係を説明するための説明図である。つまり、この図は、第３の実施の形態における画像信号発生装置の画像信号とインデックスの関係を示すタイミング図である。なお、図６において、横軸は時間の経過を示し、縦軸は、（ａ）が垂直同期信号、（ｂ）が付加予定送出インデックス信号、（ｃ）がキー入力検出信号、（ｄ）がキー入力検出一定期間付加信号、（ｅ）が付加後送出インデックス信号、（ｆ）が復号化信号、のそれぞれの電圧を示している。
【００５３】
以下、図５及び図６を参照しながら第３の実施の形態の画像信号発生装置の動作について説明する。ページ切り替えスケジューラ１０１から出力予定のページ番号情報と作業ページ検出手段１０６からのページ番号とが一致する場合、または、入力作業デバイス検出信号一定期間付加手段１０８の信号がＬＯＷの場合などは、ページ切り替えスケジューラ１０１の動作を停止させない。また、ページ切り替えスケジューラ１０１の出力予定ページが作業ページ検出手段１０６の出力したページと異なり、かつ、入力デバイス検出信号一定期間付加手段１０８からの検出信号がＨＩＧＨの場合には、ページ切り替えスケジューラ一時停止手段５０１がページ切り替えスケジューラ１０１の動作を停止させ、ページ切り替えスケジューラ１０１から入力作業ページ番号情報を出力する。すなわち、ページ切り替えスケジューラ１０１は、入力作業ページ番号情報をオブジェクト描画手段１０２及びインデックス描画手段１０３へ出力する。
【００５４】
すると、オブジェクト描画手段１０２は、ページ切り替えスケジューラ１０１が出力した情報に基づいてオブジェクトを配置して描画し、インデックス描画手段１０３は、ページ番号に相当するページ番号情報をつけたインデックスを描画する。そして、画像発生手段１０４は、オブジェクト描画手段１０２及びインデックス描画手段１０３が描画した画像を合成して画像信号を発生させ、画像信号出力手段１０５へ出力を行う。その後、入力デバイス検出信号一定期間付加手段１０８がＬＯＷになったときには、ページ切り替えスケジューラ一時停止手段５０１はページ切り替えスケジューラ１０１の停止を止めてページ切り替えを再開させる。
【００５５】
次に、図６における各信号のタイミング波形を用いて、図５に示す第３の実施の形態の画像信号発生装置の動作をより具体的に説明をする。図６に示すタイミング波形は、図２の場合と同じくページ１の割合が高く、その他のページ２、ページ３が間欠的に出される場合の例を示している。このように、本来はページ２やページ３が更新されるはずのフレームにおいても、作業者によるキーボードなどの入力作業が行われている場合には、入力作業を行っているページが優先されて画面更新が行われる。また、入力作業が中断または終了された時点で、本来のスケジュール通りの動作が再開されるため、ページ２の更新が行われる。その後はキー入力が行われない為、一定時間後にページ３の更新が行われる。
【００５６】
第３の実施の形態における表画像信号発生装置の構成によれば、キー入力などの入力作業を示す検出信号がＬＯＷの場合は定期的に他のページが画面更新され、作業者が入力作業を行っていて、入力作業を示す検出信号がＨＩＧＨの間は、本来は画面更新される予定である他のページの更新が抑制され、作業者が入力作業中の画面が優先して画面更新されることで、作業者に入力処理が途切れるのを感じさせることなく、快適に入力作業を行うことができる。また、入力作業が中断または終了された時点で、本来のスケジュール通りの動作が再開されるため、作業者に入力処理が途切れるのを感じさせることなく、かつ、スケジュールが停止していた時間が長い場合でも、その後に他の画面の情報更新する時間を長く占有することがなくなり、更新の割合が高い画面を今までどおり優先して画面更新を行うことができる。すなわち、作業者がキー操作を終了した後には、中断する前の更新処理から復帰することにより、他の画面の更新のために長時間占有されることがなくなる。
【００５７】
≪第４の実施の形態≫
次に、本発明における画像信号発生装置の第４の実施の形態について説明する。図７は、本発明の第４の実施の形態における画像信号発生装置の構成を示すブロック図である。つまり、この図は、画像表示装置に対してインデックス制御を行う画像信号発生装置の第４の実施の形態の構成を示すブロック図である。尚、図７の画像信号発生装置においては図１と同一部分は同一番号を付して重複する説明は省略する。すなわち、図７に示す第４の実施の形態の画像信号発生装置は、図１に示す第１の実施の形態の画像信号発生装置に対して、入力デバイス検出手段１０７と入力デバイス検出信号一定期間付加手段１０８が削除され、代わりに、メニューやコンボボックスなどの操作状況を検出する選択操作検出手段７０１が追加された構成となっている。また、図８は、図７に示す第４の実施の形態の画像信号発生装置における各信号のタイミングの関係を説明するための説明図である。つまり、この図は、第４の実施の形態における画像信号発生装置の画像信号とインデックスの関係を示すタイミング図である。なお、図８において、横軸は時間の経過を示し、縦軸は、（ａ）が垂直同期信号、（ｂ）が付加予定送出インデックス信号、（ｃ）が選択操作検出信号、（ｄ）が付加後送出インデックス信号、（ｅ）が復号化信号、のそれぞれの電圧を示している。
【００５８】
以下、図７及び図８を参照しながら第４の実施の形態の画像信号発生装置の動作について説明する。選択操作検出手段７０１は、作業者がメニューやコンボボックスなどの選択オブジェクトの操作状態をＨＩＧＨまたはＬＯＷとして検出し、その検出情報をページ切り替えスケジューラ１０１へ出力する。このとき、選択操作検出手段７０１からの検出信号がＬＯＷの期間中はページ切り替えスケジューラ１０１が本来出力しようとしていたページ番号と作業ページ検出手段１０６より得たページ番号を番号順にスケジュールする。一方、選択操作検出手段７０１からの検出信号がＨＩＧＨの場合においては、ページ切り替えスケジューラ１０１はページ番号をスケジュールしない。それ以外の動作については第１の実施の形態と同じであるのでその説明は省略する。
【００５９】
次に、図８における各信号のタイミング波形を用いて、図７に示す第４の実施の形態の画像信号発生装置の動作をより具体的に説明をする。図８に示すタイミング波形は、第１の実施の形態における図２の場合と同様に、ページ１の割合が高くその他のページ２、ページ３が間欠的に出力される場合の例を示している。このように、本来はページ２が更新されるはずのフレーム（例えば、時刻Ｔ１のタイミングのフレーム）においても、作業者によるメニュー選択などの選択操作作業が行われている場合には、選択操作作業を行っているページが優先され、ページ１の画面更新が行われる。また、ページ３が更新されるはずのフレーム（例えば、時刻Ｔ２のタイミングのフレーム）においては、選択操作作業がないためにそのままページ３が更新されることとなる。
【００６０】
第４の実施の形態における表画像信号発生装置の構成によれば、メニュー選択などの選択操作作業を示す検出信号がＬＯＷの場合は定期的に他のページが画面更新され、作業者がメニュー選択などを行っていて選択操作作業を示す検出信号がＨＩＧＨの間は、本来は画面更新される予定である他のページの更新が抑制され、作業者が選択操作作業中の画面が優先して画面更新される。このようにすることによって作業者に選択処理が途切れるのを感じさせることなく、快適に入力作業を行うことができる。つまり、作業者がメニューの選択操作を行ったときには直ちに操作画面が更新されるので、作業者は違和感なく操作を行うことができる。また、選択操作の終了後には中断されていた期間の更新処理を廃棄し、その後から画面更新を開始するので簡便に更新処理を行うことができる。
【００６１】
尚、第４の実施の形態は、第１の実施の形態の入力デバイス検出手段１０７および入力デバイス検出信号一定期間付加手段１０８を選択操作検出手段７０１に置き換えたものであるが、同様にして、第２の実施の形態の図３と第３の実施の形態の図５における入力デバイス検出手段１０７および入力デバイス検出信号一定期間付加手段１０８を選択操作検出手段７０１に置き換えることもできる。
【００６２】
また、第１の実施の形態、第２の実施の形態、第３の実施の形態、及び第４の実施の形態においては画面更新をページ単位として説明しているが、これをウィンドウや画像などのオブジェクト単位として上記のページ単位を読み替えても同様に動作することは云うまでもない。
【００６３】
また、第１の実施の形態、第２の実施の形態、及び第３の実施の形態は、入力デバイス検出信一定期間付加手段１０８において、さらに一定の検出期間を示す信号を付加しているが、この期間をゼロとすることも可能である。すなわち、第１の実施の形態、第２の実施の形態、及び第３の実施の形態において入力デバイス検出信号一定期間付加手段１０８を取り除いた構成にすることも可能である。さらに、第４の実施の形態の選択操作検出手段７０１においても同様なことが云える。
【図面の簡単な説明】
【００６４】
【図１】本発明の第１の実施の形態における画像信号発生装置の構成を示すブロック図である。
【図２】図１に示す第１の実施の形態の画像信号発生装置における各信号のタイミングの関係を説明するための説明図である。
【図３】本発明の第２の実施の形態における画像信号発生装置の構成を示すブロック図である。
【図４】図３に示す第２の実施の形態の画像信号発生装置における各信号のタイミングの関係を説明するための説明図である。
【図５】本発明の第３の実施の形態における画像信号発生装置の構成を示すブロック図である。
【図６】図５に示す第３の実施の形態の画像信号発生装置における各信号のタイミングの関係を説明するための説明図である。
【図７】本発明の第４の実施の形態における画像信号発生装置の構成を示すブロック図である。
【図８】図７に示す第４の実施の形態の画像信号発生装置における各信号のタイミングの関係を説明するための説明図である。
【図９】特許文献１に開示された従来技術における画像信号発生装置と画像表示装置のシステム構成図である。
【図１０】図９に示された画像信号発生装置の内部構成を示す図である。
【図１１】図１０の画像信号発生装置における画像信号とインデックスの関係を示す第１の実施例のタイミング図である。
【図１２】図１０の画像信号発生装置における画像信号とインデックスの関係を示す第２の実施例のタイミング図である。
【図１３】図１０の画像信号発生装置における画像信号とインデックスの関係を示す第３の実施例のタイミング図である。
【符号の説明】
【００６５】
１０１…ページ切り替えスケジューラ、１０２…オブジェクト描画手段、１０３…インデックス描画手段、１０４…画像信号発生手段、１０５…画像信号出力手段、１０６…作業ページ検出手段、１０７…入力デバイス検出手段、１０８…入力デバイス検出信号一定期間付加手段、３０１…ページ番号記憶メモリ、５０１…ページ切り替えスケジューラ一時停止手段、７０１…選択操作検出手段、９０１…画像信号発生手段、９０２…画像表示装置、１００１…ページ切り替えスケジューラ、１００２…画像信号発生手段、１００３…インデックス付加手段、１００４…画像信号出力手段
【図１】
2005181733.tif 000003
【図２】
2005181733.tif 000004
【図３】
2005181733.tif 000005
【図４】
2005181733.tif 000006
【図５】
2005181733.tif 000007
【図６】
2005181733.tif 000008
【図７】
2005181733.tif 000009
【図８】
2005181733.tif 000010
【図９】
2005181733.tif 000011
【図１０】
2005181733.tif 000012
【図１１】
2005181733.tif 000013
【図１２】
2005181733.tif 000014
【図１３】
2005181733.tif 000015